(57)【要約】【課題】テレビジョン受像機に用いた場合、入力電流に対する水平方向ピッチエラー割合の変動を抑制したリニアリティコイルを提供することを目的としている。【解決手段】ドラム状コア１３の両端の鍔１２間には、複数の分割鍔１７を設けるとともに、隣接する分割鍔１７の間に位置する軸芯１１の直径（Ｗ）と、分割鍔１７と両端の鍔１２との間に位置する軸芯１１の直径（Ｗ）とを互いに異ならせた構成である。【選択図】　図１
2004071743.tif 000002
【特許請求の範囲】
【請求項１】
軸芯の両端に鍔を有したドラム状コアと、前記ドラム状コアの外周表面に巻回した巻線と、前記ドラム状コアの軸芯に磁界を発生させる永久磁石と、前記ドラム状コアを上方に載置した端子台と、前記端子台に植設するとともに、前記巻線と電気的接続をした端子とを備え、前記ドラム状コアの両端の鍔間には複数の分割鍔を設けるとともに、隣接する前記分割鍔の間に位置する前記軸芯の直径と前記分割鍔と両端の前記鍔との間に位置する前記軸芯の直径とを互いに異ならせたリニアリティコイル。
【請求項２】
隣接する分割鍔の間に位置する軸芯の直径を互いに異ならせた請求項１記載のリニアリティコイル。
【請求項３】
永久磁石は、前記ドラム状コアの外方に配置し、前記ドラム状コアの両端の鍔と対向する位置にＮ極またはＳ極を着磁したリング状コアとした請求項１記載のリニアリティコイル。
【請求項４】
リング状コアには、分割鍔と対向する位置にＮ極またはＳ極を着磁した請求項３記載のリニアリティコイル。
【請求項５】
永久磁石は、ドラム状コアの上方または下方に配置した柱状コアとした請求項１記載のリニアリティコイル。
【発明の詳細な説明】
【０００１】
【発明の属する技術分野】
本発明は、各種電子機器等に用いるリニアリティコイルに関するものである。
【０００２】
【従来の技術】
以下、従来のリニアリティコイルについて図面を参照しながら説明する。
【０００３】
図８は従来のリニアリティコイルの断面図、図９は同リニアリティコイルに発生する磁束の流れを示す断面図である。
【０００４】
図８、図９において、従来のリニアリティコイルは、軸芯１の両端に鍔２を有したドラム状コア３と、このドラム状コア３の外周表面に巻回した巻線４と、ドラム状コア３の軸芯１に磁界を発生させる永久磁石と、ドラム状コア３を上方に載置した端子台５と、端子台５に植設するとともに、巻線４と電気的接続をした端子６とを備えている。
【０００５】
また、永久磁石は、ドラム状コア３の外方に配置し、ドラム状コア３の両端の鍔２と対向する位置にＮ極またはＳ極を着磁したリング状コア７としている。
【０００６】
このとき、リニアリティコイルに発生する磁束（ａ）は図９に示すようになる。
【０００７】
このリニアリティコイルをテレビジョン受像機に用いた場合、リニアリティコイルの特性波形図は図１０に示すようになり、水平方向ピッチエラー割合波形図は図１１に示すようになる。
【０００８】
【発明が解決しようとする課題】
上記従来の構成では、ドラム状コア３の磁芯１の直径（Ｗ）が両端の鍔２の間において同一寸法であるため、テレビジョン受像機等に用いた場合、水平方向ピッチエラー割合が入力電流に対して大きく変動するという問題点を有していた。
【０００９】
特に、平画面、ワイド画面、広角偏向などの大型画面では画像に大きな影響を及ぼす。
【００１０】
本発明は上記問題点を解決し、テレビジョン受像機に用いた場合、入力電流に対する水平方向ピッチエラー割合の変動を抑制したリニアリティコイルを提供することを目的としている。
【００１１】
【課題を解決するための手段】
上記目的を達成するために本発明は、以下の構成を有する。
【００１２】
本発明の請求項１記載の発明は、特に、ドラム状コアの両端の鍔間には複数の分割鍔を設けるとともに、隣接する前記分割鍔の間に位置する前記軸芯の直径と前記分割鍔と両端の前記鍔との間に位置する前記軸芯の直径とを互いに異ならせた構成である。
【００１３】
上記構成により、水平方向ピッチエラー割合が入力電流に対して大きく変動することを抑制できる。
【００１４】
本発明の請求項２記載の発明は、請求項１記載の発明において、特に、隣接する分割鍔の間に位置する軸芯の直径を互いに異ならせた構成である。
【００１５】
上記構成により、請求項１記載の発明の効果と同様の効果を得ることができる。
【００１６】
本発明の請求項３記載の発明は、請求項１記載の発明において、特に、永久磁石は、前記ドラム状コアの外方に配置し、前記ドラム状コアの両端の鍔と対向する位置にＮ極またはＳ極を着磁したリング状コアとした構成である。
【００１７】
上記構成により、請求項１記載の発明の効果と同様の効果を得ることができる。
【００１８】
本発明の請求項４記載の発明は、請求項３記載の発明において、特に、リング状コアには、分割鍔と対向する位置にＮ極またはＳ極を着磁した構成である。
【００１９】
上記構成により、請求項１記載の発明の効果と同様の効果を得ることができる。
【００２０】
本発明の請求項５記載の発明は、請求項１記載の発明において、特に、永久磁石は、ドラム状コアの上方または下方に配置した柱状コアとした構成である。
【００２１】
上記構成により、請求項１記載の発明の効果と同様の効果を得ることができる。
【００２２】
【発明の実施の形態】
（実施の形態）
以下、実施の形態を用いて、本発明の全請求項に記載の発明について図面を参照しながら説明する。
【００２３】
図１は本発明の一実施の形態におけるリニアリティコイルの断面図、図２は同リニアリティコイルの斜視図、図３は同リニアリティコイルに発生する磁束の流れを示す断面図、図４は同リニアリティコイルの特性波形図、図５は同リニアリティコイルの水平方向ピッチエラー割合波形図である。
【００２４】
図１、図２において、本発明の一実施の形態におけるリニアリティコイルは、軸芯１１の両端に鍔１２を有したドラム状コア１３と、このドラム状コア１３の外周表面に巻回した巻線１４と、ドラム状コア１３の軸芯１１に磁芯を発生させる永久磁石と、ドラム状コア１３を上方に載置した端子台１５と、この端子台１５に植設するとともに、巻線１４と電気的接続をした端子１６とを備えている。
【００２５】
ドラム状コア１３の両端の鍔１２間には、複数の分割鍔１７を設けるとともに、隣接する分割鍔１７の間に位置する軸芯１１の直径（Ｗ）と、分割鍔１７と両端の鍔１２との間に位置する軸芯１１の直径（Ｗ）とを互いに異ならせている。
【００２６】
隣接する分割鍔１７の間に位置する軸芯１１の直径（Ｗ）も互いに異ならせている。
【００２７】
永久磁石は、ドラム状コア１３の外方に配置し、ドラム状コア１３の両端の鍔１２と対向する位置にＮ極またはＳ極を着磁したリング状コア１８としている。このリング状コア１８には、分割鍔１７と対向する位置にＮ極またはＳ極を着磁している。
【００２８】
このとき、リニアリティコイルに発生する磁束（ａ）は図３に示すようになる。
【００２９】
また、リニアリティコイルの特性波形図は図４の（本発明▲１▼）に示すようになり、リニアリティコイルの水平方向ピッチエラー割合波形図は図５の（本発明▲１▼）に示すようになる。
【００３０】
上記構成により、図５に示すように、従来に比べて、入力電流に対する水平方向ピッチエラー割合の変動を抑制できる。特に、永久磁石のリング状コア１８は、ドラム状コア１３の両端の額１２と対向する位置と、分割鍔１７と対向する位置の両方にＮ極またはＳ極を着磁した場合の方が、図６に示すような、両端の鍔１２と対向する位置にのみＮ極またはＳ極を着磁した場合よりも、より水平方向ピッチエラー割合の変動を抑制できる。
【００３１】
なお、図７に示すように、永久磁石は、リング状コア１８に替えて、ドラム状コア１３の上方または下方に配置した柱状コア１９としてもよい。この場合、リニアリティコイルの特性波形図は図４において（本発明▲２▼）に示すようになり、リニアリティコイルの水平方向ピッチエラー割合波形図は図５において（本発明▲２▼）に示すようになる。
【００３２】
【発明の効果】
以上のように本発明によれば、テレビジョン受像機に用いた場合、入力電流に対する水平方向ピッチエラー割合の変動を抑制したリニアリティコイルを提供することができる。
【図面の簡単な説明】
【図１】本発明の一実施の形態におけるリニアリティコイルの断面図
【図２】同リニアリティコイルの斜視図
【図３】同リニアリティコイルに発生する磁束の流れを示す断面図
【図４】同リニアリティコイルの特性波形図
【図５】同リニアリティコイルの水平方向ピッチエラー割合波形図
【図６】リング状コアの着磁部分を異ならせたリニアリティコイルの断面図
【図７】他のリニアリティコイルの斜視図
【図８】従来のリニアリティコイルの断面図
【図９】同リニアリティコイルに発生する磁束の流れを示す断面図
【図１０】同リニアリティコイルの特性波形図
【図１１】同リニアリティコイルの水平方向ピッチエラー割合波形図
【符号の説明】
１１　軸芯
１２　鍔
１３　ドラム状コア
１４　巻線
１５　端子台
１６　端子
１７　分割鍔
１８　リング状コア
１９　柱状コア
【図１】
2004071743.tif 000003
【図２】
2004071743.tif 000004
【図３】
2004071743.tif 000005
【図４】
2004071743.tif 000006
【図５】
2004071743.tif 000007
【図６】
2004071743.tif 000008
【図７】
2004071743.tif 000009
【図８】
2004071743.tif 000010
【図９】
2004071743.tif 000011
【図１０】
2004071743.tif 000012
【図１１】
2004071743.tif 000013